(57)【要約】      （修正有）【課題】開封される際に、充填された非圧縮型の粉体化粧料が飛散されることのない粉体化粧料用リフィル容器を提供する。【解決手段】上面が開放された容器本体２に、非圧縮型粉体化粧料７を充填し、充填された粉体化粧料の上に通気シート３を置載し、更に前記容器本体の上面を、その内側に通気シートと同じ形状、大きさの弾性層を形成したシール蓋４で密封してなることを特徴とする非圧縮型粉体化粧料のリフィル容器１。【選択図】図２
0003173322.tif 000002
【実用新案登録請求の範囲】
【請求項１】
上面が開放された容器本体に、非圧縮型粉体化粧料を充填し、充填された粉体化粧料の上に通気性シートを置載し、更に前記容器本体の上面を、その内側に通気性シートと同じ形状、大きさの弾性層を形成したシール蓋で密封してなることを特徴とする非圧縮型粉体化粧料のリフィル容器。
【請求項２】
非圧縮型粉体化粧料と通気性シートの間に、メッシュ網が設けられている請求項１記載のリフィル容器。
【請求項３】
密封時に通気シートが、メッシュ網とシール蓋下の弾性層で挟持される請求項２記載のリフィル容器。
【請求項４】
通気性シートが、発泡ポリエチレンシートである請求項１ないし３の何れかの項記載のリフィル容器。
【請求項５】
通気性シートの厚みが０.８ないし１.２ｍｍである請求項１ないし４の何れかの項記載のリフィル容器。
【請求項６】
弾性層が、ポリプロピレン、セルロース、ナイロン、ポリエステル、ポリオレフィンまたはレーヨンで形成された弾性体をアクリル酸エステル共重合体でシール蓋に接着、形成したものである請求項１ないし５の何れかの項記載のリフィル容器。
【請求項７】
弾性層の厚みが、０.２ないし１.０ｍｍである請求項１ないし６の何れかの項記載のリフィル容器。
【請求項８】
非圧縮型粉体化粧料を充填することができ、粉体化粧料充填後に封止シールで封鎖される充填穴が容器本体底面に設けられている、請求項１ないし７の何れかの項記載のリフィル容器。
【考案の詳細な説明】
【技術分野】
【０００１】
本考案は、粉体化粧料用リフィル容器に関し、更に詳細には、粉体化粧料を圧縮せずに充填する非圧縮型粉体化粧料のリフィル容器において、このリフィル容器のシール蓋を開けたときに充填された粉体が飛散することのない、粉体化粧料用リフィル容器に関する。
【背景技術】
【０００２】
近年は、経済性の面から、粉体化粧料などを充填した容器を本体であるコンパクトより簡単に取り外し、交換可能なリフィル容器が市販されている。
【０００３】
しかしながら、このようなリフィル容器は、特に充填した粉体を圧縮しない非圧縮型粉体化粧料に使用する場合には、問題があった。すなわち、リフィル容器に、粉体化粧料を充填した後、上面側にシール蓋で封をするのであるが、使用に先立ち、このシール蓋を開ける際に充填されていた粉体化粧料が飛散するという問題があった。
【０００４】
この問題を解決するための工夫として、リフィル容器の充填された粉体化粧料の上に、厚紙またはプラスチックのシートを置載する技術が報告されている（特許文献１）。この技術によって、ある程度粉体化粧料の飛散は防止できるが、未だ完全とは言えず、更に優れた技術の開発が望まれている。
【先行技術文献】
【特許文献】
【０００５】
【特許文献１】特開２００３−２１０２４５
【考案の概要】
【考案が解決しようとする課題】
【０００６】
本考案は、上記実情に鑑みなされたものであり、開封される際に、充填された非圧縮型の粉体化粧料が飛散されることのない粉体化粧料用リフィル容器を提供するものである。
【課題を解決するための手段】
【０００７】
本考案者は、粉体化粧料用リフィル容器を開封する際の粉体の飛散に関し検討を行った結果、これが開封による外気の流入に伴う現象であり、特許文献１の様な技術を使用しても、置載したシートと容器の隙間から粉体が漏れ出してしまうことを知った。
【０００８】
そして、このような粉体の飛散を防ぐためには、置載するシート自体に通気性を持たせ、封をしている時点では、これに上から圧力をかけ、開封と共にこの圧力がなくなるようにすれば、粉体化粧料を外部に出すことがないことを見出し、本考案を完成した。
【０００９】
すなわち本考案は、上面が開放された容器本体に、非圧縮型粉体化粧料を充填し、充填された粉体化粧料の上に通気性シートを置載し、更に前記容器本体の上面を、その内側に通気性シートと同じ形状、大きさの弾性層を形成したシール蓋で密封してなることを特徴とする非圧縮型粉体化粧料のリフィル容器である。
【考案の効果】
【００１０】
本考案の粉体化粧料用リフィル容器（以下、「リフィル容器」という）によれば、その開封時における化粧料粉の外部への噴き出しを防ぐことができ、手指や、まわりを汚すことがない。
【００１１】
従って、粉体化粧料、特に非圧縮型粉体化粧料のリフィル容器として、有利に利用しうるものである。
【図面の簡単な説明】
【００１２】
【図１】本考案の一態様であるリフィル容器について、そのシール蓋を一部開けた状態を模式的に示す斜視図である。
【図２】本考案の一態様であるリフィル容器の一部切り欠き断面図である。
【図３】図２のＡ部分の拡大図である。
【考案を実施するための形態】
【００１３】
以下、本考案の一態様であるリフィル容器について、図面と共に説明する。
【００１４】
図１は、リフィル容器について、そのシール蓋を一部開けた状態を模式的に示した斜視図であり、図２は、リフィル容器を模式的に示した一部切り欠き断面図である。図中、１は、リフィル容器、２は容器本体、３は通気シート、４はシール蓋、５は弾性層、６はメッシュ網、７は粉体化粧料、８は充填用穴、９は封止シールを示す。
【００１５】
図１および図２に示す態様のリフィル容器１は、容器本体２に充填した粉体化粧料７の上にメッシュ網６が設けられ、その上に通気シート３が置載され、更に容器本体２の上端を、内側（下側）に弾性層５が設けられたシール蓋４で封止したものである。
【００１６】
本考案で用いる容器本体２は、上面が開放され、その中に粉体化粧料７が充填されるものである。この容器本体２は、好ましくはその上端部近くにメッシュ網６が設けられる。また、後記するように粉体化粧料７を後から充填できるように、容器本体２の底面に充填穴８を設け、充填後は、これを封止シール９で封止したものでも良い。
【００１７】
この容器本体２の粉体化粧料７の上には、通気シート３が置載される。この通気シート３は、独立したものであり、メッシュ網６と、シール蓋４に設けられた弾性層５により挟持されている。容器本体２の上部には、図３に示すように、シール蓋４を接着させるための上縁部２ａを設けられており、また、通気シート３を保持するための円周肩部２ｂが設けられている。この上縁部２ａと円周肩部２ｂの高さの差は、後記する通気シート３と弾性層５の厚み合計より若干少ないことが好ましく、一般には、通気シート３と弾性層５の厚み合計の９５ないし８０％程度であることが好ましい。
【００１８】
本考案の特徴は、容器本体２に充填された粉体化粧料７の上に、通気シート３を置き、更にその上から通弾性層５を設けたシール蓋４で封止した点である。すなわち、通気シート３は、メッシュ網６の上に置載されるが、このものは、シール蓋４の下の弾性層５により押しつけられ、若干圧縮された状態となっている。
【００１９】
そして、シール蓋４を開けると、外部から空気が流入するが、本考案のリフィル容器１では、粉体化粧料７の上にある通気シート３が、シール蓋４の開放と共に弾性層５の圧力がなくなるため、それ自体が若干膨張し、近傍の空気（および化粧料粉）を吸い込むため、外部からの空気流入による化粧料粉の飛散を防止し、外部への流出を防ぐのである。
【００２０】
本考案のリフィル容器１での、粉体飛散防止効果は、このような機構によるものであるため、通気シート３や、シール蓋４の下に設けられる弾性層５は、広い範囲から選ぶことができる。
【００２１】
例えば、通気シート３としては、ある程度の弾性と、通気性を有するものであれば良く、その好ましい例としては、発泡ポリエチレンシート、上質紙等が挙げられる。このものの厚みは、特に制約はないが、０.８ないし１.２ｍｍ程度であることが好ましい。
【００２２】
また、弾性層５としては、シール蓋４に層を形成でき、かつある程度の弾性を有するものであれば良く、その好ましい例としては、ポリプロピレン、セルロース、ナイロン、ポリエステル、ポリオレフィン、レーヨン等の弾性体が挙げられる。この弾性層５とシール蓋４は、接着剤(アクリル酸エステル共重合体など)を塗布して接着すれば良い。また、この弾性層５の厚みも、特に制約はないが、０．２ないし１．０ｍｍであることが好ましい。
【００２３】
更に、容器本体２や、シール蓋４についても、上記からわかるよう特段の制約はなく、一般に使用されている材料を使用することができる。すなわち、これらは前記容器本体の上縁部２ａで接着可能であり、かつ剥離可能であれば、どのような組み合わせであっても良い。このうち、容器本体２の好ましい例としては、ポリプロピレン、ＡＢＳ、ＳＡＮ、ＰＥＴ等が挙げられ、また、シール蓋４の好ましい例としては、樹脂フィルム、パルプ紙、合成紙等が挙げられる。
【００２４】
なお、メッシュ網６は、成形時に一体化させたり、メッシュ押さえ枠を利用して容器本体２に取り付けられる。このものは、上記したような通気シート３を挟み込む作用と共に、開封後は、粉体化粧料が固まらないようにする作用を有するものである。このメッシュ網６の材質としては、ナイロン、ポリエステル、またはナイロンとポリエステルの混毛等が挙げられる。
【００２５】
本考案のリフィル容器１への粉体化粧料７の充填は、公知の方法で行っても良いが、容器本体２として、薄く扁平な容器を使用する場合は、前記のような容器本体２の底面に充填穴８を設けたものを利用し、この穴８から粉体化粧料７を充填し、その後この穴８を封止シール９で封止する方法を利用することが好ましい。
【００２６】
この場合は、まず、予めメッシュ網６が取り付けられ、底面部に充填穴８が設けられた容器本体２を用意し、そのメッシュ網の上側に通気シート３を置く。次いで、その上を、通気シートとほぼ同じ形状、同じ大きさの弾性層が形成されたシール蓋４で封止する。更に、この容器を逆さまにし、底面の充填穴８から所定量の粉体化粧料７を充填し、この充填穴を封止シール９で封止することで均一に粉体化粧料７が充填されたリフィル容器１を得ることができる。
【産業上の利用可能性】
【００２７】
本考案によれば、開封時に粉体化粧料が外部に漏れ出さないリフィル容器を提供することができる。従って、軽く飛散しやすい非圧縮型化粧用において、有利に利用することができるものである。特に、前記した裏面の充填穴８から粉体化粧料７を充填する場合は、容器の口径が３０ないし７０ｍｍ程度のものを使用し、口径値と容器深さの数値比が、略５対１であるような扁平のものを利用することができる。
【実施例】
【００２８】
次に実施例を挙げ、本考案を更に説明するが、本考案はこれら実施例に何ら制約されるものではない。
【００２９】
実  施  例
図２に示す構造の容器を成形した。メッシュ網（ナイロン、ポリエステル混毛製伸縮メッシュ）もこの成形時に一体化して取り付けた。この容器のメッシュ網の上に、通気シートとして厚さ１ｍｍのミラマット（高発泡性ポリエチレンシート；ＪＰＳ社製）を置き、更に、下部に弾性層を有するシール蓋（ユポ；ユポコーポレーション社製合成紙）を貼り付け、封をした。シール蓋の弾性層は、ポリプロピレンシートを接着剤（アクリル系共重合体）塗布し、０.６ｍｍの厚みとした。次に、容器体底面の穴から粉体サンプルを所定量充填し、封止シールで充填穴を塞ぎ、本考案リフィル容器を製造した。一方、通気シートとして１ｍｍのＰＥＴフィルムを使用した以外は、本考案リフィル容器と同様にして比較リフィル容器を製造した。
【００３０】
各リフィル容器について、内側シートの相違による粉体サンプルの噴出しの程度を、各シール蓋を開けることで評価した。この結果、本考案リフィル容器では粉体の飛散が極めて少なかったが、ＰＥＴフィルムを用いた比較リフィル容器では、かなりの粉体の飛散が認められた。
【００３１】
この結果から明らかなように、通気シートであるミラマットを内側のシートとした場合は、粉体の噴出しが極めて少なくすることができるのに対し、通気性のないＰＥＴを使用した場合は、かなりの量の粉体の噴き出しがあることがわかった。
【符号の説明】
【００３２】
１………リフィル容器
２………容器本体
３………通気シート
４………シール蓋
５………弾性層
６………メッシュ網
７………粉体化粧料
８………充填用穴
９………封止シール
【図１】
0003173322.tif 000003
【図２】
0003173322.tif 000004
【図３】
0003173322.tif 000005